【手続補正書】
【提出日】平成30年9月11日(2018.9.11)
【手続補正１】
【補正対象書類名】明細書
【補正対象項目名】０００８
【補正方法】変更
【補正の内容】
【０００８】
本発明によれば、上記課題を解決するため、
情報処理装置であって、
他の情報処理装置と通話のための通信を行う通信手段と、
当該情報処理装置が位置するスポットが特定のスポットであるか否かを判定する判定手段と、
前記判定手段による判定結果に応じて、前記通信手段による前記他の情報処理装置との通話状態を制御する制御手段と、
を備えることを特徴とする情報処理装置を提供することができる。
【手続補正２】
【補正対象書類名】特許請求の範囲
【補正対象項目名】全文
【補正方法】変更
【補正の内容】
【特許請求の範囲】
【請求項１】
情報処理装置であって、
他の情報処理装置と通話のための通信を行う通信手段と、
当該情報処理装置が位置するスポットが特定のスポットであるか否かを判定する判定手段と、
前記判定手段による判定結果に応じて、前記通信手段による前記他の情報処理装置との通話状態を制御する制御手段と、
を備えることを特徴とする情報処理装置。
【請求項２】
前記制御手段は、前記判定手段により当該情報処理装置が位置するスポットが特定のスポットであると判定された場合、前記他の情報処理装置との通話状態を発信状態に切り替えて、通話を開始させることを特徴とする請求項１に記載の情報処理装置。
【請求項３】
前記制御手段は、前記判定手段により当該情報処理装置が位置するスポットが前記特定のスポットであると判定された場合、前記他の情報処理装置との通話状態をスタンバイ状態に切り替え、前記スタンバイ状態において当該情報処理装置のユーザにより通話開始の指示が入力されると、前記スタンバイ状態を発信状態に切り替えて通話を開始させることを特徴とする請求項１に記載の情報処理装置。
【請求項４】
撮影手段を備え、
前記判定手段は、前記撮影手段により得られた撮影画像を前記特定のスポットの画像と照合することにより、当該情報処理装置が位置するスポットが特定のスポットであるか否かを判定することを特徴とする請求項１〜３のいずれか一項に記載の情報処理装置。
【請求項５】
前記判定手段は、前記撮影手段により撮影が行われると、当該情報処理装置が位置するスポットが特定のスポットであるか否かの判定を行うことを特徴とする請求項４に記載の情報処理装置。
【請求項６】
前記通信手段は、前記判定手段により当該情報処理装置が位置するスポットが前記特定のスポットであると判定した場合、前記撮影手段により得られた撮影画像を、前記他の情報処理装置に送信することを特徴とする請求項４又は５に記載の情報処理装置。
【請求項７】
当該情報処理装置と前記他の情報処理装置の各ユーザのスケジュール情報を記憶する記憶手段を備え、
前記判定手段は、前記記憶手段に記憶された各ユーザのスケジュール情報を前記特定のスポットの情報と照合することにより、当該情報処理装置が位置するスポットが特定のスポットであるか否かを判定することを特徴とする請求項１〜３のいずれか一項に記載の情報処理装置。
【請求項８】
前記判定手段は、前記各ユーザのスケジュール情報のうちのいずれかのスケジュールの開始時間に至ると、当該情報処理装置が位置するスポットが特定のスポットであるか否かの判定を行うことを特徴とする請求項７に記載の情報処理装置。
【請求項９】
現在位置を検出する位置検出手段を備え、
前記判定手段は、前記位置検出手段により検出した現在位置を、前記特定のスポットの位置と照合することにより、当該情報処理装置が位置するスポットが特定のスポットであるか否かを判定することを特徴とする請求項１〜３のいずれか一項に記載の情報処理装置。
【請求項１０】
前記通信手段は、当該情報処理装置が位置するスポットが前記特定のスポットである場合、前記特定のスポットの付加情報を取得し、
前記制御手段により取得した前記特定のスポットの付加情報を出力する出力手段をさらに備えることを特徴とする請求項１〜９のいずれか一項に記載の情報処理装置。
【請求項１１】
前記通信手段は、取得した付加情報を、前記他の情報処理装置に送信することを特徴とする請求項１０に記載の情報処理装置。
【請求項１２】
前記通信手段は、当該情報処理装置が位置するスポットの判定情報をサーバに送信し、当該情報処理装置が位置するスポットが前記特定のスポットであるか否かの回答を前記サーバから受信し、
前記判定手段は、前記サーバからの回答に応じて、当該情報処理装置が位置するスポットが前記特定のスポットであるか否かを判定することを特徴とする請求項１〜１１のいずれか一項に記載の情報処理装置。
【請求項１３】
前記通信手段は、当該情報処理装置が位置するスポットが前記特定のスポットである場合、前記特定のスポットの付加情報を前記サーバから取得することを特徴とする請求項１２に記載の情報処理装置。
【請求項１４】
前記特定のスポットは、行楽スポットであることを特徴とする請求項１〜１３のいずれか一項に記載の情報処理装置。
【請求項１５】
複数の情報処理装置間の通話のための通信を制御するサーバであって、
前記複数の情報処理装置と通信する通信手段と、
前記複数の情報処理装置のうちの一の情報処理装置が位置するスポットが特定のスポットであるか否かを判定する判定手段と、
前記判定手段による判定結果に応じて、前記複数の情報処理装置間の通話状態を制御する制御手段と、
を備えることを特徴とするサーバ。
【請求項１６】
前記制御手段は、前記判定手段により前記一の情報処理装置が位置するスポットが特定のスポットであると判定された場合、前記複数の情報処理装置の通話状態を発信状態に切り替えて、前記複数の情報処理装置間の通話を開始させることを特徴とする請求項１５に記載のサーバ。
【請求項１７】
前記制御手段は、前記判定手段により前記一の情報処理装置が位置するスポットが前記特定のスポットであると判定された場合、前記複数の情報処理装置の通話状態をスタンバイ状態に切り替え、前記スタンバイ状態において前記複数の情報処理装置のユーザにより通話開始の指示が入力されると、前記スタンバイ状態を発信状態に切り替えて前記複数の情報処理装置間の通話を開始させることを特徴とする請求項１５に記載のサーバ。
【請求項１８】
前記通信手段は、前記一の情報処理装置が位置するスポットの判定情報を受信し、
前記判定手段は、前記通信手段により受信した前記スポットの判定情報を、前記特定のスポットの情報と照合することにより、前記一の情報処理装置が位置するスポットが前記特定のスポットであるか否かを判定することを特徴とする請求項１５〜１７のいずれか一項に記載のサーバ。
【請求項１９】
前記通信手段は、特定のスポットの付加情報を取得し、取得した前記特定のスポットの付加情報を前記複数の情報処理装置に送信することを特徴とする請求項１５〜１８のいずれか一項に記載のサーバ。
【請求項２０】
前記特定のスポットは、行楽スポットであることを特徴とする請求項１５〜１９のいずれか一項に記載のサーバ。
【請求項２１】
他の情報処理装置と通話のための通信を行う通信手段を備えた情報処理装置の通信制御方法であって、
当該情報処理装置が位置するスポットが特定のスポットであるか否かを判定するステップと、
前記特定のスポットであるか否かの判定結果に応じて、前記通信手段による前記他の情報処理装置との通話状態を制御するステップと、
を含むことを特徴とする通信制御方法。
【請求項２２】
複数の情報処理装置間の通話のための通信を制御するサーバの通信制御方法であって、
前記複数の情報処理装置のうちの一の情報処理装置が位置するスポットが特定のスポットであるか否かを判定するステップと、
前記特定のスポットであるか否かの判定結果に応じて、前記複数の情報処理装置間の通話状態を制御するステップと、
を含むことを特徴とする通信制御方法。
【請求項２３】
他の情報処理装置と通話のための通信を行う通信手段を備えた情報処理装置のコンピュータに、
当該情報処理装置が位置するスポットが特定のスポットであるか否かを判定するステップと、
前記特定のスポットであるか否かの判定結果に応じて、前記通信手段による前記他の情報処理装置との通話状態を制御するステップと、
を実行させるためのプログラム。
【請求項２４】
複数の情報処理装置間の通話のための通信を制御するサーバのコンピュータに、
前記複数の情報処理装置のうちの一の情報処理装置が位置するスポットが特定のスポットであるか否かを判定するステップと、
前記特定のスポットであるか否かの判定結果に応じて、前記複数の情報処理装置間の通話状態を制御するステップと、
を実行させるためのプログラム。